(57)【要約】【課題】筆記時には適正なインキ流出性を維持でき、インキタンク内圧上昇時にはペン先からのインキ漏出を防止でき、さらに、インタンク開栓時にはペン先からのインキ漏出防止とペン先への迅速なインキ供給とを可能にするインタンク交換式筆記具を提供する。【解決手段】ペン先２とインキタンク５との間に、インキタンク５の内圧上昇に伴う溢出インキを一時的に保持する櫛歯状のインキ保溜部材４を配置する。インキ保溜部材４の後方にインキタンク５を着脱自在に取り付ける。ペン先２の先端からインキ保溜部材４の後端までの距離Ｌを、２５ｍｍ〜５０ｍｍに設定する。【選択図】  図１
2005324336.tif 000002
【特許請求の範囲】
【請求項１】
ペン先とインキタンクとの間に、インキタンクの内圧上昇に伴う溢出インキを一時的に保持する櫛歯状のインキ保溜部材を配置し、前記インキ保溜部材の後方にインキタンクを着脱自在に取り付けたインキタンク交換式筆記具であって、ペン先の先端からインキ保溜部材の後端までの距離を、２５ｍｍ〜５０ｍｍに設定したことを特徴とするインキタンク交換式筆記具。
【請求項２】
前記ペン先が、先端に回転可能なボールを備えたボールペンチップからなり、前記ペン先の先端からインキ保溜部材の後端までの距離を、２５ｍｍ〜５０ｍｍに設定した請求項１記載のインキタンク交換式筆記具。
【請求項３】
前記ペン先が、繊維加工体からなり、前記ペン先の先端からインキ保溜部材の後端までの距離を、２５ｍｍ〜４０ｍｍに設定した請求項１記載のインキタンク交換式筆記具。
【請求項４】
前記ペン先が、内部または外部に軸方向に延びる毛細間隙を有する合成樹脂の押出成形体からなり、前記ペン先の先端からインキ保溜部材の後端までの距離を、２５ｍｍ〜４５ｍｍに設定した請求項１記載のインキタンク交換式筆記具。
【請求項５】
前記ペン先が、多孔質体からなり、前記ペン先の先端からインキ保溜部材の後端までの距離を、２５ｍｍ〜４０ｍｍに設定した請求項１記載のインキタンク交換式筆記具。
【請求項６】
前記ペン先が、先端にスリットを有する先細状の金属板加工体からなり、前記ペン先の先端からインキ保溜部材の後端までの距離を、２５ｍｍ〜４０ｍｍに設定した請求項１記載のインキタンク交換式筆記具。
【請求項７】
前記ペン先が、ホルダーを介してインキ保溜部材に着脱自在かつ交換可能に取り付けられる請求項１乃至６のいずれかに記載のインキタンク交換式筆記具。
【請求項８】
前記ペン先と、インキタンクからペン先へインキを誘導するインキ誘導部材とが、ホルダーを介してインキ保溜部材に着脱自在かつ交換可能に取り付けられる請求項１乃至６のいずれかに記載のインキタンク交換式筆記具。
【発明の詳細な説明】
【技術分野】
【０００１】
本発明は、インキタンク交換式筆記具に関する。
【背景技術】
【０００２】
従来、この種のインキタンク交換式筆記具として、例えば特許文献１には、先軸筒と、前記先軸筒内に収納され、中心軸線上に伸びるインキ誘導芯とインキ誘導芯より径方向外側にインキ誘導芯と分離して形成された気液交換溝とを有するペン芯（本願のインキ保溜部材に相当）と、インキ誘導芯の先端側にインキ誘導芯と一体に、または別体でインキ誘導芯と接触するように設けられたペン体と、先軸筒に圧入固定、または着脱可能に連結される後軸筒と、先軸筒の後部に設けられた縮径部に連結され、低粘性インキを収納するインキ収納筒と、を備えた筆記具が開示されている。
【特許文献１】特開平９−１１６８１号公報
【発明の開示】
【発明が解決しようとする課題】
【０００３】
従来のインキタンク交換式筆記具において、インキ保溜部材は、以下のａ．ｂ．ｃ．の性能が要求される。
ａ．筆記時、ペン先からのインキ消費によりインキタンク内が減圧され、その減圧された分の適正量の外気をインキ保溜部材の後端の連通溝を介してインキタンク内に取り込み、ペン先からのインキの過剰流出（例えば、筆跡にじみ、筆跡汚れ等）及びインキの流出不足（例えば、筆跡カスレ、筆跡途切れ等）を回避し、ペン先からの適正なインキ流出性を維持する。
ｂ．温度変化や気圧変化等によりインキタンクの内圧が上昇した際、その内圧上昇に応じた溢出インキを、櫛歯間に設けた保溜溝に一時的に保持し、ペン先からのインキ漏出を防止する。
ｃ．インキタンクを交換する際、新しいインキタンクをインキ保溜部材の後方に結合しインキタンクを開栓した時、過剰のインキがペン先に供給されることを回避してペン先からのインキ漏出を防止するとともに、インキ誘導部材を介してインキタンクからペン先まで迅速にインキ供給する。
【０００４】
ところが、従来のインキタンク交換式筆記具は、ペン先の先端からインキ保溜部材の後端までの距離について、何ら検討がなされておらず、筆記時、インキタンクの内圧上昇時、またはインキタンク開栓時の前記インキ保溜部材の性能を十分に満足できないおそれがある。
【０００５】
また、従来のインキタンク交換式筆記具は、ペン先の交換について何ら検討がなされていない。即ち、インキタンクの交換によって、筆記具本体が長期にわたり使用可能になるとしても、ペン先の摩耗により、適正な筆記性能を維持できなくなるおそれがある。特に、ペン先がボールペンチップの場合、筆記使用するにつれて、回転するボール後面を支持するボール受け座が次第に摩耗し、ボールの前後方向のガタが大きくなり、その結果、ペン先からのインキ流出性が次第に増加して、ペン先からのインキ流出量が過剰となるおそれがある。
【０００６】
本発明は、前記従来の問題点を解決するものであって、筆記時には適正なインキ流出性を維持でき、インキタンク内圧上昇時にはペン先からのインキ漏出を防止でき、さらに、インキタンク開栓時にはペン先からのインキ漏出防止とペン先への迅速なインキ供給とを可能にするインキタンク交換式筆記具を提供しようとするものである。さらに、本発明は、ペン先交換を可能にし、長期にわたり適正な筆記性能を維持できるインキタンク交換式筆記具を提供しようとするものである。
【課題を解決するための手段】
【０００７】
本発明筆記具は、以下の（請求項１）乃至（請求項８）の要件を特徴とする。
【０００８】
（請求項１）ペン先とインキタンクとの間に、インキタンクの内圧上昇に伴う溢出インキを一時的に保持する櫛歯状のインキ保溜部材を配置し、前記インキ保溜部材の後方にインキタンクを着脱自在に取り付けたインキタンク交換式筆記具であって、ペン先の先端からインキ保溜部材の後端までの距離を、２５ｍｍ（ミリメートル）〜５０ｍｍ（ミリメートル）に設定したことを特徴とするインキタンク交換式筆記具。
【０００９】
（請求項２）前記ペン先が、先端に回転可能なボールを備えたボールペンチップからなり、前記ペン先の先端からインキ保溜部材の後端までの距離を、２５ｍｍ〜５０ｍｍに設定した請求項１記載のインキタンク交換式筆記具。
【００１０】
（請求項３）前記ペン先が、繊維加工体からなり、前記ペン先の先端からインキ保溜部材の後端までの距離を、２５ｍｍ〜４０ｍｍに設定した請求項１記載のインキタンク交換式筆記具。
【００１１】
（請求項４）前記ペン先が、内部または外部に軸方向に延びる毛細間隙を有する合成樹脂押出成形体からなり、前記ペン先の先端からインキ保溜部材の後端までの距離を、２５ｍｍ〜４５ｍｍに設定した請求項１記載のインキタンク交換式筆記具。
【００１２】
（請求項５）前記ペン先が、多孔質体からなり、前記ペン先の先端からインキ保溜部材の後端までの距離を、２５ｍｍ〜４０ｍｍに設定した請求項１記載のインキタンク交換式筆記具。
【００１３】
（請求項６）前記ペン先が、先端にスリットを有する先細状の金属板加工体からなり、前記ペン先の先端からインキ保溜部材の後端までの距離を、２５ｍｍ〜４０ｍｍに設定した請求項１記載のインキタンク交換式筆記具。
【００１４】
（請求項７）前記ペン先が、ホルダーを介してインキ保溜部材に着脱自在かつ交換可能に取り付けられる請求項１乃至６のいずれかに記載のインキタンク交換式筆記具。
【００１５】
（請求項８）前記ペン先、インキタンクからペン先へインキを誘導するインキ誘導部材とが、ホルダーを介してインキ保溜部材に着脱自在かつ交換可能に取り付けられる請求項１乃至６のいずれかに記載のインキタンク交換式筆記具。
【発明の効果】
【００１６】
請求項１により、筆記時には適正なインキ流出性を維持でき、インキタンク内圧上昇時にはペン先からのインキ漏出を防止でき、さらに、インキタンク開栓時にはペン先からのインキ漏出防止とペン先への迅速なインキ供給とが可能となる。
【００１７】
請求項２により、請求項１の効果を奏する、ボールペンチップを備えたインキタンク交換式筆記具が得られる。
【００１８】
請求項３により、請求項１の効果を奏する、繊維加工体よりなるペン先を備えたインキタンク交換式筆記具が得られる。
【００１９】
請求項４により、請求項１の効果を奏する、合成樹脂の押出成形体よりなるペン先を備えたインキタンク交換式筆記具が得られる。
【００２０】
請求項５により、請求項１の効果を奏する、多孔質体よりなるペン先を備えたインキタンク交換式筆記具が得られる。
【００２１】
請求項６により、請求項１の効果を奏する、先端にスリットを有する先細状の金属板加工体よりなるペン先を備えたインキタンク交換式筆記具が得られる。
【００２２】
請求項７により、長期にわたり適正な筆記性能を維持できるとともに、ペン先の交換が容易となる。
【００２３】
請求項８により、長期にわたり適正な筆記性能を維持できるとともに、ペン先の交換が容易となり、さらに、ペン先とインキ誘導部材との接続を適正に維持できる。
【発明を実施するための最良の形態】
【００２４】
本発明を実施するための最良の形態を説明する。
【００２５】
本発明の実施の形態のペン先交換式筆記具１は、ペン先２とインキタンク５との間に、インキタンク５の内圧上昇に伴う溢出インキを一時的に保持する櫛歯状のインキ保溜部材４を配置し、前記インキ保溜部材４の後方にインキタンク５を着脱自在に取り付けたインキタンク交換式筆記具１であって、ペン先２の先端からインキ保溜部材４の後端までの距離Ｌを、２５ｍｍ〜５０ｍｍに設定すること（請求項１）を特徴とする。
【００２６】
ペン先２の先端からインキ保溜部材４の後端までの距離Ｌとは、インキ保溜部材４の後端に設けた連通溝４３の後端までの距離をいう。前記連通溝４３は、インキタンク５とインキ保溜部材４との間でインキと空気が交替する部分である。前記インキタンク５内に収容されるインキは、水性インキが好ましい。
【００２７】
前記ペン先２の先端からインキ保溜部材４の後端までの距離Ｌを、２５ｍｍ〜５０ｍｍに設定したことにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能となる。
【００２８】
前記距離Ｌが２５ｍｍより小さい場合、インキ保溜部材４全体のインキ保溜容量が小さくなり、インキタンク５の容量を小さくしない限り、インキタンク５内の圧力上昇時、ペン先２からのインキ漏出を十分に防ぐことが困難となる。また、インキ保溜部材４の容量が小さくなることに伴い、インキタンク５の容量を小さくすると、インキタンク５の一本当たりの筆記可能距離が短くなり、ユーザーに頻繁なインキタンク５の交換を強いることになる。
【００２９】
さらに、前記距離Ｌが２５ｍｍより小さい場合、ペン先２先端に加わるインキヘッド圧（水頭圧）は極めて小さくなり、インキ保溜部材４の後端部の毛細管力は極めて低く（即ち連通溝４３の溝幅及び連通溝４３近傍の保溜溝４２の溝幅が極めて大きく）設定される。それにより、外気がインキタンク５内に入りやすくなるため、筆記時には、ペン先２からのインキ過剰流出が生じるおそれがあり、インキタンク５の開栓時には、外気をインキタンク５内に過剰に取り込み、ペン先２からのインキ漏出が生じるおそれがある。
【００３０】
前記距離Ｌが５０ｍｍより大きい場合、ペン先２先端に加わるインキヘッド圧が極めて大きくなるため、インキ保溜部材４の後端部の毛細管力は、ペン先２からのインキ漏出を防止する目的で、極めて高く（即ち連通溝４３の溝幅及び連通溝４３近傍の保溜溝４２の溝幅が極めて小さく）設定される。前記インキ保溜部材４の後端部の毛細管力が極めて大きく設定されると、外気をインキタンク５内に取り込み難くなり、筆記時のインキ流出不足が生じるおそれがある。その上、連通溝４３の溝幅及び保溜溝４２の溝幅が極めて小さく設定されるため、インキ保溜部材４の製造が困難となる。
【００３１】
さらに、前記距離Ｌが５０ｍｍより大きい場合、インキタンク５からペン先２へインキを誘導するインキ誘導部材６の全長が極めて長くなり、インキタンク５の開栓時、インキタンク５からペン先２まで迅速にインキ供給が行われず、インキタンク５の開栓後、即座に筆記することができないおそれがある。
【００３２】
（ペン先の例）
前記請求項１のペン先２は、いずれであってもよいが、例えば、ボールペンチップ、繊維加工体、合成樹脂の押出成形体、多孔質体、金属板加工体等が挙げられる。
【００３３】
・ボールペンチップ
前記ボールペンチップからなるペン先２は、先端に回転可能にボールを抱持するものならいずれであってもよい。例えば、前記ボールペンチップは、金属細管の先端近傍側壁を内方への押圧変形（例えばポンチ加工）により、ボール受け座用の複数の内方突起を形成するもの、金属材料の先端に切削加工によりボール受け座及びボール抱持孔を形成するもの、または合成樹脂製本体の先端に回転可能にボールを抱持するもの等を挙げることができる。前記ペン先２がボールペンチップからなる場合、前記ペン先２の先端からインキ保溜部材４の後端までの距離Ｌは、２５ｍｍ〜５０ｍｍ（好ましくは３５ｍｍ〜５０ｍｍ、さらに好ましくは４０ｍｍ〜５０ｍｍ）の範囲にすること（請求項２）が好ましい。
【００３４】
・繊維加工体
前記繊維加工体からなるペン先２は、例えば、繊維束の樹脂加工体、繊維束の熱融着加工体、フェルト加工体等が挙げられる。前記ペン先２が繊維加工体からなる場合、前記ペン先２の先端からインキ保溜部材４の後端までの距離Ｌは、２５ｍｍ〜４０ｍｍ（好ましくは３０ｍｍ〜４０ｍｍ、さらに好ましくは３２ｍｍ〜３８ｍｍ）の範囲にすること（請求項３）が好ましい。
【００３５】
・合成樹脂の押出成形体
前記合成樹脂の押出成形体からなるペン先２は、内部または外部に軸方向に延びるインキ誘導用の毛細間隙を有するものであり、例えば、複数の合成樹脂モノフィラメントが自己融着された棒状体が挙げられる。前記ペン先２が合成樹脂の押出成形体からなる場合、前記ペン先２の先端からインキ保溜部材４の後端までの距離Ｌは、２５ｍｍ〜４５ｍｍ（好ましくは３５ｍｍ〜４５ｍｍ）の範囲にすること（請求項４）が好ましい。
【００３６】
・多孔質体
前記多孔質体は、例えば、合成樹脂の多孔質気泡体等が挙げられる。ペン先２が多孔質体からなる場合、前記ペン先２の先端からインキ保溜部材４の後端までの距離Ｌは、２５ｍｍ〜４０ｍｍ（好ましくは３０ｍｍ〜４０ｍｍ、さらに好ましくは３５ｍｍ〜４０ｍｍ）の範囲にすること（請求項５）が好ましい。
【００３７】
・金属板加工体
先細状の金属板加工体からなるペン体は、先端にスリットを有し、例えば、万年筆のペン先が挙げられる。前記ペン先２が先細状の金属板加工体からなる場合、前記ペン先２の先端からインキ保溜部材４の後端までの距離Ｌは、２５ｍｍ〜４０ｍｍ（好ましくは３０ｍｍ〜４０ｍｍ、さらに好ましくは３５ｍｍ〜４０ｍｍ）の範囲にすること（請求項６）が好ましい。
【００３８】
（ペン先交換）
前記インキタンク交換式筆記具１において、ペン先２が、ホルダー３を介してインキ保溜部材４に着脱自在かつ交換可能に取り付けられる構成（請求項７）が好ましい。
【００３９】
ペン先２を交換可能にすることから、ペン先２が筆記使用により摩耗した場合、新しいペン先２に交換することにより長期にわたり適正な筆記性能を維持でき、その結果、筆記具本体を長期にわたり使用することができる。さらに、ペン先２がホルダー３を介してインキ保溜部材４に着脱自在かつ交換可能に取り付けられることにより、ペン先２の交換時にペン先自体を損傷させたり、インキが手に付着したりするおそれがなく、ペン先交換作業が容易となる。
【００４０】
さらに、前記インキタンク交換式筆記具１において、前記ペン先２と、インキタンク５からペン先２へインキを誘導するインキ誘導部材６とが、ホルダー３を介してインキ保溜部材４に着脱自在かつ交換可能に取り付けられる構成（請求項８）が好ましい。
【００４１】
前記構成（請求項８）により、ペン先２とインキ誘導部材６とが接続状態のままインキ保溜部材４に着脱自在かつ交換可能に取り付けられる。それにより、ペン先２の交換時にペン先２とインキ誘導部材６との接続不良が生じることを防止できる。
【００４２】
前記インキ誘導部材６は、インキタンク５からペン先２へインキを誘導する部材であり、その先端がペン先２に接続され且つその後端がインキタンク５に接続される。前記インキ誘導部材６は、例えば、繊維加工体、または合成樹脂の押出成形体等が挙げられる。尚、前記インキ誘導部材６は、ペン先２を兼ねる構成（即ちペン先２と同じ材料からなる構成）でもよい。また、前記インキ誘導部材６は、材質、形状、毛細管力等が異なる複数の部材を前後に接続した構成でもよい。
【００４３】
また、前記構成（請求項８）は、前記請求項７同様、ペン先２を交換可能にすることから、ペン先２が摩耗した場合、新しいペン先２に交換することにより、長期にわたり適正な筆記性能を維持でき、その結果、筆記具本体を長期にわたり使用することができる。さらに、前記構成（請求項８）は、前記請求項７同様、ペン先２がホルダー３を介してインキ保溜部材４に着脱自在かつ交換可能に取り付けられることにより、ペン先２の交換時にペン先自体を損傷させたり、インキが手に付着したりするおそれがなく、ペン先交換作業が容易となる。
【実施例１】
【００４４】
図１乃至図２に本発明の第１実施例を示す。
本実施例のインキタンク交換式筆記具１は、先軸７と、前記先軸７の後端部に着脱自在に構成される後軸８と、前記先軸７内に収容されるインキ保溜部材４と、前記先軸７の後端部に突出された筒状の結合部７２と、前記結合部７２に接続可能なインキタンク５と、前記インキ保溜部材４の先端にホルダー３を介して取り付けられるペン先２と、インキタンク５からペン先２へインキを誘導するインキ誘導部材６とからなる。
【００４５】
・先軸
前記先軸７は、両端が開口された円筒体よりなり、合成樹脂（例えば、ポリプロピレン、ポリカーボネート等）の射出成形により得られる。前記先軸７の後端部には、外周面に雄ネジが形成された筒状の螺合部７１と、該螺合部７１の内側に同心円状に配置される筒状の結合部７２とを備える。前記結合部７２は、インキタンク５の開栓時、インキタンク５の開口部内に圧入される。さらに、前記結合部７２の後端の一部には、インキタンク５の開栓時にインキタンク５の開口部の栓体５１を後方へ押し外す突片７２ａが形成される。
【００４６】
・後軸
前記後軸８は、前端が開口された有底筒状体よりなり、合成樹脂（例えば、ポリプロピレン、ポリカーボネート等）の射出成形により得られる。前記後軸８の先端開口部内周面には、前記先軸７の螺合部７１の雄ネジと着脱自在に螺合可能な雌ネジが形成される。また、前記後軸８は、インキタンク５内のインキ残量を外部より視認可能なよう、透明性を有することが好ましい。
【００４７】
・インキ保溜部材
前記インキ保溜部材４は、合成樹脂（例えば、ＡＢＳ樹脂等）の射出成形により得られる。前記インキ保溜部材４は、複数の円板状の櫛歯４１を備える。前記櫛歯４１の相互間には、インキを一時的に保溜する保溜溝４２が形成される。前記櫛歯４１には、前記各々の保溜溝４２と接続する、軸方向に延びるスリット状の誘導溝４４が形成される。前記インキ保溜部材４の櫛歯４１群の最後端に位置する鍔部には、前記誘導溝４４と接続し且つインキタンク５側に開口する連通溝４３が前後に貫設される。また、前記櫛歯４１には、空気流通用の凹溝が形成される。また、前記インキ保溜部材４の中心には、中心孔４５が貫設される。前記中心孔４５には、合成樹脂の押出成形体からなる第１のインキ誘導部材６１が挿着される。
【００４８】
・インキタンク
前記インキタンク５は、合成樹脂（例えは、ポリエチレン等）の射出成形により得られる。前記インキタンク５は、先端が開口され且つ後端が閉鎖された有底筒状体であり、開口部の内周面には、インキタンク５内を封鎖する栓体５１が、嵌着、溶着または接着等により設けられる。前記インキタンク５内には、インキ（例えば、水性インキ）が直接収容される。尚、前記インキタンク５は、内部のインキ残量が視認可能なよう、透明性を有することが好ましい。
【００４９】
・ペン先
前記ペン先２は、先端に回転可能にボールを抱持したボールペンチップからなる。詳細には、前記ペン先２は、金属細管（例えばステンレス鋼製細管）の先端近傍側壁を内方に押圧変形し、ボール受け座用の複数の内方突起を形成した、ニードル状のボールペンチップからなる。
【００５０】
前記ペン先２は、ホルダー３の前部に取り付けられる。そして、前記ホルダー３の後部は、インキ保溜部材４の中心孔４５の先端開口部に圧入される。即ち、ペン先２がインキ保溜部材４にホルダー３を介して取り付けられる。
【００５１】
・ホルダー
前記ホルダー３は、ペン先２が取り付けられる鍔状の前部と、インキ保溜部材４の中心孔４５の先端開口部に圧入される後部とからなる。前記ホルダー３は合成樹脂の射出成形により得られる。
【００５２】
・インキ誘導部材
本実施例のインキ誘導部材６は、第１のインキ誘導部材６１と、第２のインキ誘導部材６２と、第３のインキ誘導部材６３とからなる。前記ホルダー３の後部内には、繊維加工体よりなる第２のインキ誘導部材６２が収容される。前記ペン先２の内部には、ボール後面にインキを誘導する合成樹脂の押出成形体よりなる第３のインキ誘導部材６３が収容される。前記第２のインキ誘導部材６２の先端には、第３のインキ誘導部材６３の後端が突き刺し接続され、前記第２のインキ誘導部材６２の後端には、第１のインキ誘導部材６１の先端が突き刺し接続される。
【００５３】
尚、本実施例（図１）のインキタンク交換式筆記具１は、ペン先２の先端からインキ保溜部材４の後端までの距離Ｌが、４５ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【実施例２】
【００５４】
図３乃至図５に本発明の第２実施例を示す。
本実施例のペン先２は、第１実施例同様のボールペンチップである。前記ペン先２は、第１実施例同様、ホルダー３に取り付けられ、前記ホルダー３がインキ保溜部材４に取り付けられる。即ち、ペン先２がホルダー３を介してインキ保溜部材４に取り付けられる。前記ホルダー３の後部内及びインキ保溜部材４の中心孔４５内には、繊維加工体よりなる第１のインキ誘導部材６１が収容される。前記ペン先２の内部には、第１実施例同様、合成樹脂の押出形成体よりなる第２のインキ誘導部材６２が収容される。そして、前記第１のインキ誘導部材６１の先端には、前記第２のインキ誘導部材６２の後端が突き刺し接続される。即ち、本実施例のインキ誘導部材６は、第１のインキ誘導部材６１と第２のインキ誘導部材６２からなる。
【００５５】
前記ホルダー３は、ペン先２が取り付けられる鍔状の前部と、インキ保溜部材４の中心孔４５の先端開口部に圧入される後部とからなる。前記ホルダー３の前部とインキ保溜部材４の間には、環状の係合溝９が形成される。ペン先２の交換時、前記係合溝９に工具が挿入され、ホルダー３が前方に引き抜かれる。前記第１のインキ誘導部材６１はホルダー３と固定されているため、前記ホルダー３がインキ保溜部材４から取り外されると同時に、第１のインキ誘導部材６１と第２のインキ誘導部材６２とからなるインキ誘導部材６もインキ保溜部材４から取り外される。それにより、ペン先２の交換時に、ペン先２と第１のインキ誘導部材６１の接続不良、及び第１のインキ誘導部材６１と第２のインキ誘導部材６２との接続不良が生じるおそれがない。尚、前記係合溝９は、前記構成以外にも、ホルダー３の外周面に設けることもできる。
【００５６】
尚、本実施例（図３）のインキタンク交換式筆記具１は、ペン先２の先端からインキ保溜部材４の後端までの距離Ｌが、４５ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【００５７】
また、本実施例（図３）のインキタンク交換式筆記具１は、ペン先２を交換可能にすることから、ペン先２が摩耗した場合、新しいペン先２に交換することにより、長期にわたり適正な筆記性能を維持でき、その結果、筆記具本体を長期にわたり使用することができる。特に、本実施例（図３）では、ペン先２が、筆記使用に伴いインキ流出性が次第に増加しやすいボールペンチップであるが、ペン先２を交換可能にすることにより、ペン先２からの過剰流出を未然に防止することができる。さらに、本実施例（図３）のインキタンク交換式筆記具１は、ペン先２がホルダー３を介してインキ保溜部材４に着脱自在かつ交換可能に取り付けられることにより、ペン先２の交換時にペン先自体を損傷させたり、インキが手に付着したりするおそれがなく、ペン先交換作業が容易となる。
【００５８】
図４及び図５に、ペン先２の交換時に使用する工具の例を示す。
これは、ペン先２の交換時に使用する工具を、本実施例（図３）のインキタンク交換式筆記具１のペン先側に着脱自在のキャップに設けた構成である。
【００５９】
前記キャップはキャップ本体１０とクリップとからなる。前記キャップ本体１０は、一端が開口され且つ他端が閉鎖された有底円筒体よりなり、外面に金属板よりなるクリップが固定される。前記クリップは、軸方向に延びるクリップ本体１１と、キャップ開口側においてクリップ本体１１先端が内方に折曲形成された玉部１１ａと、キャップ閉塞側においてクリップ本体１１後端がＬ字状に折曲形成された基部１１ｂとを備える。
【００６０】
前記クリップ本体１１後端とクリップ基部１１ｂとが接続される角部には、係合孔１２が貫設される。前記係合孔１２は、クリップ本体１１後端に貫設された三角形状の孔１２ａ（ペン先挿入部）と、該三角形状の孔１２ａに連通する、クリップ基部１１ｂに貫設された半円状の孔１２ｂ（係合部）とからなる。ペン先２の交換時、前記クリップ本体１１後端の三角形状の孔１２ａに、係合溝９より前方のペン先２及びホルダー３が挿入され、前記クリップ基部１１ｂの半円状の孔１２ｂの内壁が、筆記具１の係合溝９に係合される。そして、係合溝９にクリップ基部１１ｂを係合させて、キャップ本体１０を開口側に引っ張ることにより、ホルダー３を介して、インキ保溜部材４からインキ誘導部材６（即ち第１のインキ誘導部材６１及び第２のインキ誘導部材６２）とペン先２とを接続状態のまま取り外すことができる。
【００６１】
本実施例（図３）の他の構成（即ち、先軸７、後軸８、インキ保溜部材４、及びインキタンク５）は第１実施例と同様であるため、説明は省略する。
【実施例３】
【００６２】
図６に本発明の第３実施例を示す。
本実施例のペン先２は、先端に回転可能にボールを抱持したボールペンチップよりなる。詳細には、前記ペン先２は、金属材料（例えばステンレス鋼）の切削加工により先端部にボール抱持孔及びボール受け座を形成するタイプのボールペンチップである。前記ペン先２は、インキ保溜部材４の中心孔４５の先端開口部に圧入される。前記ボールペンチップの内部には、繊維加工体よりなる第２のインキ誘導部材６２が収容される。前記インキ保溜部材４の中心孔４５には、合成樹脂の押出成形体よりなる第１のインキ誘導部材６１が挿着される。前記第１のインキ誘導部材６１の先端は第２のインキ誘導部材６２の後端に突き刺し接続される。前記第２のインキ誘導部材６２の先端はボールの後面までインキを誘導する。即ち、本実施例のインキ誘導部材６は、第１のインキ誘導部材６１と第２のインキ誘導部材６２からなる。
【００６３】
本実施例（図６）の他の構成（即ち、先軸７、後軸８、インキ保溜部材４、及びインキタンク５）は第１実施例（図１）と同様であるため、説明は省略する。
【００６４】
尚、本実施例（図６）のインキタンク交換式筆記具１は、ペン先２の先端からインキ保溜部材４の後端までの距離Ｌが、４６ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【実施例４】
【００６５】
図７に本発明の第４実施例を示す。
本実施例は、第３実施例（図６）と同様のボールペンチップよりなるペン先２を、ホルダー３を介して、着脱自在且つ交換可能に構成したものである。前記ホルダー３の前部には、ペン先２が取り付けられ、ホルダー３の後部は、インキ保溜部材４の中心孔４５の先端開口部に圧入される。ペン先２内、ホルダー３内、及びインキ保溜部材４の中心孔４５内には、繊維加工体よりなるインキ誘導部材６が挿着される。前記インキ誘導部材６は、後端がインキタンク５側に突出されるとともに、先端がボール後面にインキ誘導可能にボール抱持部に接続される。
【００６６】
前記ホルダー３は、ペン先２が取り付けられる鍔状の前部と、インキ保溜部材４の中心孔４５の先端開口部に圧入される後部とからなる。前記ホルダー３前部とインキ保溜部材４の先端部の間には、環状の係合溝９が形成される。ペン先２の交換時、前記係合溝９に工具が挿入され、ホルダー３が前方に引き抜かれる。インキ誘導部材６はホルダー３と固定されているため、前記ホルダー３がインキ保溜部材４から取り外されると同時に、インキ誘導部材６もインキ保溜部材４から取り外される。即ち、ペン先２とインキ誘導部材６とが接続状態のまま取り外される。それにより、ペン先２の交換時に、インキ誘導部材６とペン先２との接続不良が生じるおそれがない。
【００６７】
前記ペン先２の交換時に使用する工具は、例えば、第２実施例（図４及び図５）に示すものが採用される。
【００６８】
本実施例（図７）の他の構成（即ち、先軸７、後軸８、インキ保溜部材４、及びインキタンク５）は第１実施例（図１）と同様であるため、説明は省略する。
【００６９】
尚、本実施例（図７）のインキタンク交換式筆記具１は、ペン先２の先端からインキ保溜部材４の後端までの距離Ｌが、４６ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【００７０】
また、本実施例（図７）のインキタンク交換式筆記具１は、ペン先２を交換可能にすることから、ペン先２が摩耗した場合、新しいペン先２に交換することにより、長期にわたり適正な筆記性能を維持でき、その結果、筆記具本体を長期にわたり使用することができる。特に、本実施例（図７）では、ペン先２が、筆記使用に伴いインキ流出性が次第に増加しやすいボールペンチップであるが、ペン先２を交換可能にすることにより、ペン先２からの過剰流出を未然に防止することができる。さらに、本実施例（図７）のインキタンク交換式筆記具１は、ペン先２がホルダー３を介してインキ保溜部材４に着脱自在かつ交換可能に取り付けられることにより、ペン先２の交換時にペン先自体を損傷させたり、インキが手に付着したりするおそれがなく、ペン先交換作業が容易となる。
【実施例５】
【００７１】
図８に本発明の第５実施例を示す。
本実施例のペン先２は、先端部がチゼル状に研削された、繊維加工体よりなるラインマーカー用ペン先である。前記ペン先２の後部はホルダー３の前部に取り付けられ、前記ホルダー３の後部はインキ保溜部材４の先端部外周面に取り付けられる。前記ペン先２はホルダー３を介してインキ保溜部材４の先端に取り付けられる。前記インキ保溜部材４の中心孔４５には、合成樹脂の押出成形体よりなるインキ誘導部材６が挿着される。前記ペン先２の後端には、前記インキ誘導部材６の先端が接続される。
【００７２】
本実施例（図８）の他の構成（即ち、先軸７、後軸８、インキ保溜部材４、及びインキタンク５）は第１実施例（図１）と同様であるため、説明は省略する。
【００７３】
尚、本実施例（図８）のインキタンク交換式筆記具１は、ペン先２の先端からインキ保溜部材４の後端までの距離Ｌが、３４．５ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【実施例６】
【００７４】
図９に本発明の第６実施例を示す。
本実施例のペン先２は、インキ誘導部材６を兼ねた繊維加工体である。前記ペン先２は、金属製の保持筒３１を介してホルダー３に取り付けられる。前記ホルダー３は、インキ保溜部材４の先端部外周面に取り付けられる。前記ペン先２は、インキ保溜部材４の中心孔４５内に挿着され、その後端がインキタンク５側に突出され、その先端が保持筒３１より前方に突出される。
【００７５】
本実施例（図９）の他の構成（即ち、先軸７、後軸８、インキ保溜部材４、及びインキタンク５）は第１実施例（図１）と同様であるため、説明は省略する。
【００７６】
尚、本実施例（図９）のインキタンク交換式筆記具１は、ペン先２の先端からインキ保溜部材４の後端までの距離Ｌが、３４．５ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【実施例７】
【００７７】
図１０に本発明の第７実施例を示す。
本実施例のペン先２は、合成樹脂の押出成形体よりなり、内部に軸方向に延びるインキ誘導用の毛細間隙が形成される。前記ペン先２は、金属製のホルダー３を介してインキ保溜部材４の中心孔４５の先端開口部に圧入される。前記インキ保溜部材４の中心孔４５内には、繊維加工体よりなるインキ誘導部材６が挿着される。前記インキ誘導部材６の先端には前記ペン先２が突き刺し接続される。また、前記インキ誘導部材６の後端はインキタンク５側に突出される。
【００７８】
本実施例（図１０）の他の構成（即ち、先軸７、後軸８、インキ保溜部材４、及びインキタンク５）は第１実施例（図１）と同様であるため、説明は省略する。
【００７９】
尚、本実施例（図１０）のインキタンク交換式筆記具１は、ペン先２の先端からインキ保溜部材４の後端までの距離Ｌが、４５ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【実施例８】
【００８０】
図１１に本発明の第８実施例を示す。
本実施例のペン先２は、軟質合成樹脂（例えばポリエステルエラストマー）の押出成形よりなる芯部２１と、該芯部２１の外周面を覆う硬質合成樹脂（例えばポリアセタール）よりなる筒状被覆部２２とからなる。
【００８１】
前記芯部２１の先端部は毛筆状に研削され、前記筒状被覆部２２より前方に突出される。前記筒状被覆部２２は、前部の大径部と後部の小径部とからなる。前記小径部が、インキ保溜部材４の中心孔４５の先端開口部に圧入され、前記大径部の後端面が、インキ保溜部材４の先端面に当接される。前記大径部の外周面は、インキ保溜部材４の先端部外周面に取り付けたホルダー３により保持される。前記ペン先２の芯部２１は、インキ誘導部材６を兼ね、インキ保溜部材４の後端より後方に突出される。
【００８２】
本実施例（図１１）の他の構成（即ち、先軸７、後軸８、インキ保溜部材４、及びインキタンク５）は第１実施例（図１）と同様であるため、説明は省略する。
【００８３】
尚、本実施例（図１１）のインキタンク交換式筆記具１は、ペン先２の先端からインキ保溜部材４の後端までの距離Ｌが、３６．５ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【実施例９】
【００８４】
図１２に本発明の第９実施例を示す。
本実施例のペン先２は、連続気孔を有する合成樹脂（例えば、ポリウレタン）製多孔質体よりなり、先端部が毛筆形状を有する。前記ペン先２は、インキ保溜部材４の先端部にホルダー３を介して取り付けられる。前記インキ保溜部材４の中心孔４５には、繊維加工体よりなるインキ誘導部材６が挿着される。前記インキ誘導部材６の先端は、前記ペン先２が被着され、前記インキ誘導部材６の後端は、インキ保溜部材４の後端より後方に突出される。
【００８５】
本実施例（図１２）の他の構成（即ち、先軸７、後軸８、インキ保溜部材４、及びインキタンク５）は第１実施例（図１）と同様であるため、説明は省略する。
【００８６】
尚、本実施例（図１２）のインキタンク交換式筆記具１は、ペン先２の先端からインキ保溜部材４の後端までの距離Ｌが、３９．５ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【実施例１０】
【００８７】
図１３に本発明の第１０実施例を示す。
ペン先２は、金属（例えばステンレス鋼）製薄板を先細状に加工し、その先端にスリットを形成したものである。前記ペン先２は、インキ保溜部材４の先端部に取り付けられる。前記インキ保溜部材４の中心孔４５には、繊維加工体よりなるインキ誘導部材６が挿着される。前記インキ誘導部材６の先端が前記ペン先２のスリットに接続され、前記インキ誘導部材６の後端がインキタンク５内に接続される。
【００８８】
本実施例（図１３）の他の構成（即ち、先軸７、後軸８、インキ保溜部材４、及びインキタンク５）は第１実施例（図１）と同様であるため、説明は省略する。
【００８９】
尚、本実施例（図１３）のインキタンク交換式筆記具１は、ペン先２の先端からインキ保溜部材４の後端までの距離Ｌが、３９．５ｍｍに設定されている。それにより、筆記時には適正なインキ流出性を維持でき、インキタンク５の内圧上昇時にはペン先２からのインキ漏出を防止でき、さらに、インキタンク５の開栓時にはペン先２からのインキ漏出防止とペン先２への迅速なインキ供給とが可能になる。
【図面の簡単な説明】
【００９０】
【図１】本発明の第１実施例を示す縦断面図である。
【図２】図１のＡ−Ａ線断面図である。
【図３】本発明の第２実施例を示す縦断面図てある。
【図４】図３のペン先交換時を示す図である。
【図５】図４のペン先交換用の工具を備えたキャップを示す図であり、（ａ）が正面図、（ｂ）が平面図である。
【図６】本発明の第３実施例を示す縦断面図てある。
【図７】本発明の第４実施例を示す縦断面図てある。
【図８】本発明の第５実施例を示す縦断面図てある。
【図９】本発明の第６実施例を示す縦断面図てある。
【図１０】本発明の第７実施例を示す縦断面図てある。
【図１１】本発明の第８実施例を示す縦断面図てある。
【図１２】本発明の第９実施例を示す縦断面図てある。
【図１３】本発明の第１０実施例を示す縦断面図てある。
【符号の説明】
【００９１】
１  インキタンク交換式筆記具
２  ペン先
２１  芯部
２２  筒状被覆部
３  ホルダー
３１  保持筒
４  インキ保溜部材
４１  櫛歯
４２  保溜溝
４３  連通溝
４４  誘導溝
４５  中心孔
５  インキタンク
５１  栓体
６  インキ誘導部材
６１  第１のインキ誘導部材
６２  第２のインキ誘導部材
６３  第３のインキ誘導部材
７  先軸
７１  螺合部
７２  結合部
７２ａ  突片
８  後軸
９  係合溝
１０  キャップ本体
１１  クリップ本体
１１ａ  玉部
１１ｂ  基部
１２  係合孔
１２ａ  孔
１２ｂ  孔
Ｌ  ペン先の先端からインキ保溜部材の後端までの距離
【図１】
2005324336.tif 000003
【図２】
2005324336.tif 000004
【図３】
2005324336.tif 000005
【図４】
2005324336.tif 000006
【図５】
2005324336.tif 000007
【図６】
2005324336.tif 000008
【図７】
2005324336.tif 000009
【図８】
2005324336.tif 000010
【図９】
2005324336.tif 000011
【図１０】
2005324336.tif 000012
【図１１】
2005324336.tif 000013
【図１２】
2005324336.tif 000014
【図１３】
2005324336.tif 000015